【手続補正書】
【提出日】平成17年7月26日(2005.7.26)
【手続補正１】
【補正対象書類名】明細書
【補正対象項目名】請求項１
【補正方法】変更
【補正の内容】
【請求項１】  一般式Ｉの化合物：
【化１】
2001515060.tif 000001
式Ｉ：
非対称の中心が存在する時に、上式がその塩を含む、Ｄ-、Ｌ-またはＤＬ-形態で存在し、ここで際Ｒ１は次の一般式の脂肪親和性の残基であり：
【化２】
2001515060.tif 000002
式中Ｒ２およびＲ３が互いに独立してドデシル、ドデセニル、テトラデシル、テトラデセニル、ヘキサデシル、ヘキサデセニル、オクタデシル、オクタデセニルであるか、又は飽和若しくは不飽和であってもよく、分枝若しくは非分枝又はフッ素化若しくは非フッ素化されていてもよい、５、６、７、８、９、１０、１１、１２、１３、１４、１５、１６、１７、１８、１９、２０、２１、２２、２３、２４、２５、２６、２７、２８、２９または３０個の炭素原子からなる他のアルキル残基であり、
かつＸは次の基の１つであり：
【化３】
2001515060.tif 000003
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
【化４】
2001515060.tif 000004
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
【化５】
2001515060.tif 000005
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
【化６】
2001515060.tif 000006
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、
または
【化７】
2001515060.tif 000007
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、
または
【化８】
2001515060.tif 000008
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
【化９】
2001515060.tif 000009
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
【化１０】
2001515060.tif 000010
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、
または
【化１１】
2001515060.tif 000011
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
【化１２】
2001515060.tif 000012
式中ｍ＝０およびｎ＝０であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０およびｎ＝１であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０およびｎ＝２であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１およびｎ＝１であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１およびｎ＝２であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝２およびｎ＝２であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、ａ＝０のとき、かつｆが１より小さいとき、もしくはｆが１と等しいとき、ｅ＝０のとき、かつａ＝ｂ＝ｃ＝ｄ＝ｅ＝ｆ＝０の場合が除外されているとき、上記の全ての場合においてｂが１より小さく、もしくは１と等しいことを条件とする。
【手続補正２】
【補正対象書類名】明細書
【補正対象項目名】請求項６
【補正方法】変更
【補正の内容】
【請求項６】  次の構造を有する請求項１に相当する化合物およびその塩：
【化１７】
2001515060.tif 000013
式中ｔ＝１、２、３、４、５または６およびｇ＝１、２、３、４、５、６、７または８とすることができ、かつＲ２およびＲ３が互いに独立してドデシル、ドデセニル、テトラデシル、テトラデセニル、ヘキサデシル、ヘキサデセニル、オクタデシルまたはオクタデセニルとすることができる。
【手続補正３】
【補正対象書類名】明細書
【補正対象項目名】００２９
【補正方法】変更
【補正の内容】
【００２９】
【化３３】
2001515060.tif 000014
【手続補正４】
【補正対象書類名】明細書
【補正対象項目名】００３０
【補正方法】変更
【補正の内容】
【００３０】
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｈ＝０、１、２、３、４、５または６、ｒ＝０、１、２、３、４、５または６、ｋ＝０、１、２、３、４、５または６、ｔ＝０、１、２、３、４、５または６およびｌ＝０、１、２、３、４、５または６とすることができ、
【手続補正５】
【補正対象書類名】明細書
【補正対象項目名】００３１
【補正方法】変更
【補正の内容】
【００３１】
または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｈ＝０、１、２、３、４、５または６、ｒ＝０、１、２、３、４、５または６、ｋ＝０、１、２、３、４、５または６、ｔ＝０、１、２、３、４、５または６およびｌ＝０、１、２、３、４、５または６とすることができ、
【手続補正６】
【補正対象書類名】明細書
【補正対象項目名】００３２
【補正方法】変更
【補正の内容】
【００３２】
または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｈ＝０、１、２、３、４、５または６、ｒ＝０、１、２、３、４、５または６、ｋ＝０、１、２、３、４、５または６、ｔ＝０、１、２、３、４、５または６およびｌ＝０、１、２、３、４、５または６とすることができ、または
【手続補正７】
【補正対象書類名】明細書
【補正対象項目名】００３３
【補正方法】変更
【補正の内容】
【００３３】
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｈ＝０、１、２、３、４、５または６、ｒ＝０、１、２、３、４、５または６、ｋ＝０、１、２、３、４、５または６、ｔ＝０、１、２、３、４、５または６およびｌ＝０、１、２、３、４、５または６とすることができ、
【手続補正８】
【補正対象書類名】明細書
【補正対象項目名】００３４
【補正方法】変更
【補正の内容】
【００３４】
または
式中ｍ＝１およびｎ＝２であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｈ＝０、１、２、３、４、５または６、ｒ＝０、１、２、３、４、５または６、ｋ＝０、１、２、３、４、５または６、ｔ＝０、１、２、３、４、５または６およびｌ＝０、１、２、３、４、５または６とすることができ、
【手続補正９】
【補正対象書類名】明細書
【補正対象項目名】００３５
【補正方法】変更
【補正の内容】
【００３５】
または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｈ＝０、１、２、３、４、５または６、ｒ＝０、１、２、３、４、５または６、ｋ＝０、１、２、３、４、５または６、ｔ＝０、１、２、３、４、５または６およびｌ＝０、１、２、３、４、５または６とすることができ、その際好ましくはＨ原子の最大５０％、特に好ましくはその３０％がＦ原子により置換される。
【手続補正１０】
【補正対象書類名】明細書
【補正対象項目名】００４０
【補正方法】変更
【補正の内容】
【００４０】
【化３７】
2001515060.tif 000015
【手続補正１１】
【補正対象書類名】明細書
【補正対象項目名】００４４
【補正方法】変更
【補正の内容】
【００４４】
式中ｈ＝０、１、２、３、４、５または６、ｒ＝０、１、２、３、４、５または６、ｋ＝０、１、２、３、４、５または６、ｔ＝０、１、２、３、４、５または６、ｌ＝０、１、２、３、４、５または６、およびその際ｇ＝１、２、３、４、５、６、７または８とすることができ、Ｒ２およびＲ３が互いに独立してドデシル、ドデセニル、テトラデシル、テトラデセニル、ヘキサデシル、ヘキサデセニル、オクタデシルまたはオクタデセニルとすることができる。